(57)【要約】      （修正有）【課題】剥き出しになっている複数のフェルールと、相対移動可能な複数のノズル部材と、の位置を合わせる。【解決手段】アタッチメント付き清掃工具１は、アタッチメント３と、清掃工具２と、を備える。清掃工具のノズル部材６０Ａ、６０Ｂは、並列方向に互いに接近および離隔可能に設けられている。アタッチメントは、複数の連結部材１０、２０を有する。複数の連結部材１０、２０はそれぞれ、ノズル部材の円端部に取り付けられる取付部と、フェルールが挿入される筒状部と、を有し、ノズル部材６０Ａ、６０Ｂの相対移動に追従して移動する。【選択図】図１
2020201455.tif 000002
【特許請求の範囲】
【請求項１】
清掃工具と、
前記清掃工具に着脱可能なアタッチメントと、を備え、
前記清掃工具は、
光コネクタのフェルールの接合端面を清掃する複数の清掃体と、
前記複数の清掃体をそれぞれ前記接合端面に押し当てる複数のヘッド部材と、
前記複数のヘッド部材をそれぞれ収容する複数のノズル部材と、
前記複数のヘッド部材に向けた前記複数の清掃体の供給および引き取りを行う送り機構と、
前記送り機構を収容する収容体と、を有し、
前記複数のノズル部材が並べられた並列方向において、前記複数のノズル部材は互いに接近および離隔可能に設けられ、
前記アタッチメントは、複数の連結部材を有し、
前記複数の連結部材はそれぞれ、前記ノズル部材の先端部に取り付けられる取付部と、前記取付部から前記複数のノズル部材の長手方向に突出して前記フェルールが挿入される筒状部と、を有し、
前記複数の連結部材は、前記複数のノズル部材の前記並列方向における相対移動に追従して移動する、アタッチメント付き清掃工具。
【請求項２】
前記複数のノズル部材の各先端部には、前記筒状部側に突出する先端ガイド部が形成され、
前記取付部の内面には、前記先端部が当接する当接部が形成され、
前記当接部には、前記ノズル部材側に突出し、前記先端ガイド部の内側に進入して前記先端ガイド部に接する内筒部が形成されている、
請求項１に記載のアタッチメント付き清掃工具。
【請求項３】
前記先端ガイド部の内面には、前記長手方向における前記収容体側に向かうに従って前記ノズル部材の中心軸線に向かう第１傾斜面が形成され、
前記内筒部の外周面には、前記長手方向における前記収容体側に向かうに従って前記中心軸線に向かう第２傾斜面が形成されている、請求項２に記載のアタッチメント付き清掃工具。
【請求項４】
前記複数の連結部材にはそれぞれ、前記複数のノズル部材が前記並列方向に離隔するとき、前記複数のノズル部材のうち前記並列方向における外側を向く外側当接面に当接する外側規制面が形成されている、請求項１から３のいずれか１項に記載のアタッチメント付き清掃工具。
【請求項５】
前記複数の連結部材にはそれぞれ、前記複数のノズル部材が前記並列方向に接近するとき、前記複数のノズル部材のうち前記並列方向における内側を向く内側当接面に当接する内側規制部が形成されている、請求項１から４のいずれか１項に記載のアタッチメント付き清掃工具。
【請求項６】
前記アタッチメントは、前記複数の連結部材に着脱可能に設けられたキャップを有し、
前記キャップは、前記並列方向において前記筒状部に圧入されず、前記並列方向および前記長手方向に直交する直交方向において前記筒状部に圧入される、請求項１から５のいずれか１項に記載のアタッチメント付き清掃工具。
【請求項７】
前記複数の連結部材は、第１連結部材と第２連結部材とを含み、
前記第２連結部材には、前記並列方向に突出するとともに、前記並列方向および前記長手方向に直交する直交方向に間隔を空けて配置された一対の係止片と、前記一対の係止片からそれぞれ前記直交方向における内側に向けて突出した係止部と、が形成され、
前記第１連結部材には、前記一対の係止片がそれぞれ摺動する一対の溝部と、前記一対の係止部にそれぞれ係止される一対の係止突部と、が形成されている、請求項１から６のいずれか１項に記載のアタッチメント付き清掃工具。
【請求項８】
清掃体によって光コネクタの接合端面を清掃する清掃工具に着脱可能なアタッチメントであって、
互いに近接および離隔可能に設けられた複数の連結部材を備え、
前記複数の連結部材はそれぞれ、前記清掃工具のノズル部材の先端部に取り付けられる取付部と、前記取付部から突出してフェルールが挿入される筒状部と、を有する、アタッチメント。
【請求項９】
互いに近接および離隔可能に設けられた複数の連結部材を備え、前記複数の連結部材はそれぞれ、ノズル部材の先端部に取り付けられる取付部と、前記取付部から突出してフェルールが挿入される筒状部と、を有するアタッチメントを着脱可能な清掃工具であって、
前記清掃工具は、
前記フェルールの接合端面を清掃する複数の清掃体と、
前記複数の清掃体をそれぞれ前記接合端面に押し当てる複数のヘッド部材と、
前記複数のヘッド部材をそれぞれ収容する複数のノズル部材と、
前記複数のヘッド部材に向けた前記複数の清掃体の供給および引き取りを行う送り機構と、
前記送り機構を収容する収容体と、を備え、
前記複数のノズル部材が並べられた並列方向において、前記複数のノズル部材は互いに近接及び離隔可能に設けられ、
前記複数のノズル部材の先端部には、前記ノズル部材の長手方向に突出し、内側が前記ノズル部材の内部に連通する先端ガイド部が形成されている、清掃工具。
【発明の詳細な説明】
【技術分野】
【０００１】
本発明は、アタッチメント付き清掃工具、アタッチメント、および清掃工具に関する。
【背景技術】
【０００２】
特許文献１には、光コネクタが有するフェルールの接合端面を清掃体により拭き取り清掃する清掃工具が開示されている。この清掃工具は、清掃体を接合端面に突き当てる複数のヘッド部材と、複数のヘッド部材がそれぞれ収容された複数のノズル部材（先端筒部）と、を備えている。特許文献１の清掃工具を使用する際には、光アダプタのコネクタ収容穴に各ノズル部材を挿入して、清掃工具の本体部分を押し込む。これにより、ノズル部材からヘッド部材が突出して、ヘッド部材に巻回された清掃体がフェルールの接合端面に突き当たり、当該接合端面を清掃することができる。また、各ノズル部材は、互いに接近または離隔可能に構成されているため、フェルール同士の間のピッチがばらついても、当該ピッチにノズル部材同士のピッチを合わせることができる。
【先行技術文献】
【特許文献】
【０００３】
【特許文献１】特許第５２３８８７３号公報
【発明の概要】
【発明が解決しようとする課題】
【０００４】
ところで、光コネクタを清掃する際には、コネクタ収容穴の内側に位置している状態のフェルールの接合端面を清掃する場合がある一方、剥き出しになった状態のフェルールの接合端面を清掃する場合もある。特許文献１の構成では、コネクタ収容穴にノズル部材を挿入することで、ノズル部材とフェルールとの位置を合わせている。このため、フェルールが剥き出しになっている場合には、相対移動可能な複数のノズル部材と、複数のフェルールと、の位置を合わせることが難しかった。
【０００５】
本発明はこのような事情を考慮してなされ、剥き出しになっている複数のフェルールと、相対移動可能な複数のノズル部材と、の位置を合わせることが可能なアタッチメント付き清掃工具、アタッチメント、または清掃工具を提供することを目的とする。
【課題を解決するための手段】
【０００６】
上記課題を解決するために、本発明の第１の態様に係るアタッチメント付き清掃工具は、清掃工具と、前記清掃工具に着脱可能なアタッチメントと、を備え、前記清掃工具は、光コネクタのフェルールの接合端面を清掃する複数の清掃体と、前記複数の清掃体をそれぞれ前記接合端面に押し当てる複数のヘッド部材と、前記複数のヘッド部材をそれぞれ収容する複数のノズル部材と、前記複数のヘッド部材に向けた前記複数の清掃体の供給および引き取りを行う送り機構と、前記送り機構を収容する収容体と、を有し、前記複数のノズル部材が並べられた並列方向において、前記複数のノズル部材は互いに接近および離隔可能に設けられ、前記アタッチメントは、複数の連結部材を有し、前記複数の連結部材はそれぞれ、前記ノズル部材の先端部に取り付けられる取付部と、前記取付部から前記複数のノズル部材の長手方向に突出して前記フェルールが挿入される筒状部と、を有し、前記複数の連結部材は、前記複数のノズル部材の前記並列方向における相対移動に追従して移動する。
【０００７】
上記態様によれば、各連結部材の筒状部内にフェルールを挿入することで、ノズル部材およびその内側に収容されたヘッド部材と、フェルールと、の位置を合わせることができる。また、各連結部材は、複数のノズル部材が接近および離隔することに追従して移動する。したがって、フェルール間のピッチが異なる複数の光コネクタの接合端面を、同一のアタッチメント付き清掃工具で清掃することができる。
さらに、フェルールがコネクタ収容穴内に位置している場合には、アタッチメントを取り外し、コネクタ収容穴内にノズル部材を挿入することで、ヘッド部材とフェルールとの位置を合わせることもできる。
以上より、上記態様のアタッチメント付き清掃工具によれば、フェルールがコネクタ収容穴内に位置しているか否かに関わらず接合端面を清掃可能である。そして、フェルール間のピッチが異なる光コネクタごとにアタッチメント付き清掃工具を持ち替える手間が省けて、効率よく清掃することができる。
【０００８】
ここで、前記複数のノズル部材の各先端部には、前記筒状部側に突出する先端ガイド部が形成され、前記取付部の内面には、前記先端部が当接する当接部が形成され、前記当接部には、前記ノズル部材側に突出し、前記先端ガイド部の内側に進入して前記先端ガイド部に接する内筒部が形成されていてもよい。
【０００９】
この場合、先端ガイド部および内筒部によって、ノズル部材の先端部の位置と、筒状部の位置とを容易に合わせることができる。したがって、ノズル部材からヘッド部材が突出したときに、当該ヘッド部材をスムーズにアタッチメントの筒状部内に導入させることができる。
【００１０】
また、前記先端ガイド部の内面には、前記長手方向における前記収容体側に向かうに従って前記ノズル部材の中心軸線に向かう第１傾斜面が形成され、前記内筒部の外周面には、前記長手方向における前記収容体側に向かうに従って前記中心軸線に向かう第２傾斜面が形成されていてもよい。
【００１１】
この場合、アタッチメントを清掃工具に取り付ける際に、第１傾斜面と第２傾斜面とを接触させて、よりスムーズに内筒部を先端ガイド部の内側に導入することができる。したがって、より確実にノズル部材の先端部の位置とアタッチメントの筒状部の位置とを合わせることができる。
【００１２】
また、前記複数の連結部材にはそれぞれ、前記複数のノズル部材が前記並列方向に離隔するとき、前記複数のノズル部材のうち前記並列方向における外側を向く外側当接面に当接する外側規制面が形成されていてもよい。
【００１３】
この場合、複数のノズル部材が互いに離隔するように相対移動するときに、より確実に複数の連結部材を追従して移動させることができる。
【００１４】
また、前記複数の連結部材にはそれぞれ、前記複数のノズル部材が前記並列方向に接近するとき、前記複数のノズル部材のうち前記並列方向における内側を向く内側当接面に当接する内側規制部が形成されていてもよい。
【００１５】
この場合、複数のノズル部材が互いに接近するように相対移動するときに、より確実に連結部材を追従して移動させることができる。
【００１６】
また、前記アタッチメントは、前記複数の連結部材に着脱可能に設けられたキャップを有し、前記キャップは、前記並列方向において前記筒状部に圧入されず、前記並列方向および前記長手方向に直交する直交方向において前記筒状部に圧入されてもよい。
【００１７】
この場合、複数の連結部材が完全に近接した状態でなくても、キャップを筒状部に圧入することが可能な構成とすることができ、キャップの着脱操作がより容易となる。
【００１８】
また、前記複数の連結部材は、第１連結部材と第２連結部材とを含み、前記第２連結部材には、前記並列方向に突出するとともに、前記並列方向および前記長手方向に直交する直交方向に間隔を空けて配置された一対の係止片と、前記一対の係止片からそれぞれ前記直交方向における内側に向けて突出した係止部と、が形成され、前記第１連結部材には、前記一対の係止片がそれぞれ摺動する一対の溝部と、前記一対の係止部にそれぞれ係止される一対の係止突部と、が形成されていてもよい。
【００１９】
この場合、第１連結部材と第２連結部材とが相対移動可能とし、かつ第１連結部材と第２連結部材とが不意に脱落することを抑止できる。また、係止片を弾性変形させることで、第２連結部材を第１連結部材に容易に組み付けることができる。
【００２０】
本発明の第２の態様に係るアタッチメントは、清掃体によって光コネクタの接合端面を清掃する清掃工具に着脱可能なアタッチメントであって、互いに近接および離隔可能に設けられた複数の連結部材を備え、前記複数の連結部材はそれぞれ、前記清掃工具のノズル部材の先端部に取り付けられる取付部と、前記取付部から突出してフェルールが挿入される筒状部と、を有する。
【００２１】
上記第２の態様に係るアタッチメントによれば、相対移動可能な複数のノズル部材を有する清掃工具に当該アタッチメントを取り付けることで、剥き出しになっている複数のフェルールと、複数のノズル部材と、の位置を合わせることが可能となる。
【００２２】
本発明の第３の態様に係る清掃工具は、互いに近接および離隔可能に設けられた複数の連結部材を備え、前記複数の連結部材はそれぞれ、ノズル部材の先端部に取り付けられる取付部と、前記取付部から突出してフェルールが挿入される筒状部と、を有するアタッチメントを着脱可能な清掃工具であって、前記清掃工具は、前記フェルールの接合端面を清掃する複数の清掃体と、前記複数の清掃体をそれぞれ前記接合端面に押し当てる複数のヘッド部材と、前記複数のヘッド部材をそれぞれ収容する複数のノズル部材と、前記複数のヘッド部材に向けた前記複数の清掃体の供給および引き取りを行う送り機構と、前記送り機構を収容する収容体と、を備え、前記複数のノズル部材が並べられた並列方向において、前記複数のノズル部材は互いに近接及び離隔可能に設けられ、前記複数のノズル部材の先端部には、前記ノズル部材の長手方向に突出し、内側が前記ノズル部材の内部に連通する先端ガイド部が形成されている。
【００２３】
上記第３の態様に係る清掃工具によれば、アタッチメントを取り付けることで、剥き出しになっている複数のフェルールと、複数のノズル部材と、の位置を合わせることが可能となる。さらに、アタッチメントを取り外した状態では、例えば先端ガイド部内にフェルールの端部を進入させることで、より精度よくノズル部材とフェルールとの位置を決めることも可能である。
【発明の効果】
【００２４】
本発明の上記態様によれば、剥き出しになっている複数のフェルールと、相対移動可能な複数のノズル部材と、の位置を合わせることが可能なアタッチメント付き清掃工具、アタッチメント、または清掃工具を提供することができる。
【図面の簡単な説明】
【００２５】
【図１】本実施形態に係るアタッチメント付き清掃工具の全体図である。
【図２Ａ】本実施形態のアタッチメント付き清掃工具から、アタッチメントを取り外した状態を示す図である。
【図２Ｂ】図２Ａの複数のノズル部材を互いに離隔させた状態を示す図である。
【図３】本実施形態に係る清掃工具の内部構造を示す部分断面図である。
【図４】本実施形態の清掃工具の内部構造を示す分解斜視図である。
【図５Ａ】図１のアタッチメント近傍の拡大図であり、キャップを取り外した状態を示す図である。
【図５Ｂ】図５Ａの連結部材同士の間隔を広げた状態を示す図である。
【図６Ａ】図５ＡのＶＩＡ−ＶＩＡ断面矢視図である。
【図６Ｂ】図５ＢのＶＩＢ−ＶＩＢ断面矢視図である。
【図７Ａ】図５ＡのＶＩＩＡ−ＶＩＩＡ断面矢視図である。
【図７Ｂ】図５ＡのＶＩＩＢ−ＶＩＩＢ断面矢視図である。
【図８】図１のＶＩＩＩ−ＶＩＩＩ断面矢視図である。
【図９Ａ】本実施形態のアタッチメント付き清掃工具を用いて、フェルール間のピッチが小さい光コネクタを清掃する様子を示す図である。
【図９Ｂ】本実施形態のアタッチメント付き清掃工具を用いて、フェルール間のピッチが大きい光コネクタを清掃する様子を示す図である。
【発明を実施するための形態】
【００２６】
以下、本実施形態のアタッチメント付き清掃工具について図面に基づいて説明する。
図１に示すように、アタッチメント付き清掃工具１は、清掃工具２と、清掃工具２に着脱可能なアタッチメント３と、を備えている。
清掃工具２は、本体部４０と、外筒体５０と、複数のノズル部材６０Ａ、６０Ｂと、を備えている。
【００２７】
アタッチメント３は、第１連結部材１０と、第２連結部材２０と、キャップ３０と、を備えている。第１連結部材１０および第２連結部材２０は、剥き出しになったフェルール８１（後述）を清掃工具２を用いて清掃する際に、ノズル部材６０Ａ、６０Ｂとフェルール８１とを連結する役割を有する。第１連結部材１０と第２連結部材２０とは所定の範囲内で互いに相対移動可能となっている。第１連結部材１０は、第１紐部４によって本体部４０に連結されている。キャップ３０は、第２紐部５によって第１連結部材１０に連結されている。
【００２８】
（方向定義）
本実施形態では、ＸＹＺ直交座標系を設定して各構成の位置関係を説明する。Ｘ軸方向は、ノズル部材６０Ａ、６０Ｂが延びる方向である。Ｚ軸方向は、複数のノズル部材６０Ａ、６０Ｂが並べられた方向である。Ｙ軸方向は、Ｘ軸方向およびＺ軸方向の双方に直交する方向である。
以下、Ｘ軸方向を長手方向Ｘといい、Ｚ軸方向を並列方向Ｚといい、Ｙ軸方向を直交方向Ｙという。また、長手方向Ｘに沿って、清掃工具２の本体部４０側を−Ｘ側といい、アタッチメント３側を＋Ｘ側という。並列方向Ｚに沿って、第１ノズル部材６０Ａ側を＋Ｚ側といい、第２ノズル部材６０Ｂ側を−Ｚ側という。直交方向Ｙに沿って、一方側を＋Ｙ側、他方側を−Ｙ側という。
【００２９】
ノズル部材６０Ａ、６０Ｂは長手方向Ｘに沿って延びる筒状に形成されている。図２Ａに示すように、本明細書では、第１ノズル部材６０Ａの中心軸線を第１中心軸線Ｃ１と表し、第２ノズル部材６０Ｂの中心軸線を第２中心軸線Ｃ２と表す。
図２Ａ、図２Ｂに示すように、ノズル部材６０Ａ、６０Ｂは、並列方向Ｚにおいて互いに近接および離隔可能に設けられている。ノズル部材６０Ａ、６０Ｂはそれぞれ、先端部６１Ａ、６１Ｂと、中間部６２Ａ、６２Ｂと、基部６３Ａ、６３Ｂと、を有している。ノズル部材６０Ａ、６０Ｂは並列方向Ｚにおいて対称な形状に形成されている。並列方向Ｚにおける寸法は、先端部６１Ａ、６１Ｂよりも中間部６２Ａ、６２Ｂの方が大きく、中間部６２Ａ、６２Ｂよりも基部６３Ａ、６３Ｂの方が大きい。
【００３０】
外筒体５０は、長手方向Ｘに沿って延びる筒状に形成されている。外筒体５０は、ノズル部材６０Ａ、６０Ｂの基部６３Ａ、６３Ｂおよび中間部６２Ａ、６２Ｂの−Ｘ側の端部を、外側から覆っている。外筒体５０は、大径部５１と、小径部５２とを有している。小径部５２は大径部５１よりも＋Ｘ側に位置している。小径部５２は、外筒体５０のうち＋Ｘ側に向けて開口する部分である。小径部５２の内部空間の並列方向Ｚにおける寸法は、大径部５１の内部空間の並列方向Ｚにおける寸法よりも小さい。
【００３１】
図２Ａに示すように、ノズル部材６０Ａ、６０Ｂが互いに当接した状態において、中間部６２Ａ、６２Ｂと小径部５２との間、および基部６３Ａ、６３Ｂと大径部５１との間には、並列方向Ｚにおける隙間が形成されている。したがって、図２Ｂに示すように、中間部６２Ａ、６２Ｂが小径部５２の内面に当接するまで、あるいは基部６３Ａ、６３Ｂが大径部５１の内面に当接するまで、ノズル部材６０Ａ、６０Ｂは互いに離隔可能となっている。
なお、外筒体５０の内部には仕切りなどは設けられていないため、図２Ａに示すように、ノズル部材６０Ａ、６０Ｂは互いに当接する位置まで接近することができる。
【００３２】
図３に示すように、本体部４０は、送り機構Ｍと、送り機構Ｍを収容する収容体４１と、を有している。送り機構Ｍは、ノズル部材６０Ａ、６０Ｂ内に収容されたヘッド部材７０Ａ、７０Ｂ（図７Ａ、図７Ｂ参照）に向けた清掃体６Ａ、６Ｂの供給および引き取りを行う。清掃体６Ａ、６Ｂの材質は特に限定されないが、例えば清浄布（不織布、織布など）を糸状（または紐状）、テープ状などに加工したものを用いることができる。例えば、清掃体６Ａ、６Ｂを、ポリエステル、ナイロンなどの極細の繊維で構成してもよい。
【００３３】
図３、送り機構Ｍは、巻取リール４３Ａ、４３Ｂと、ギア４４Ａ、４４Ｂと、ギア受け部４５Ａ、４５Ｂと、を有している。また、図４に示すように、送り機構Ｍは、供給リール４６Ａ、４６Ｂと、支持体４７と、押さえ部４８Ａ、４８Ｂと、を有している。
支持体４７は、巻取リール４３Ａ、４３Ｂと、ギア４４Ａ、４４Ｂと、ギア受け部４５Ａ、４５Ｂと、供給リール４６Ａ、４６Ｂと、押さえ部４８Ａ、４８Ｂと、を支持している。
【００３４】
図４に示すように、支持体４７には、底壁４７ａと、側壁４７ｂと、供給リール支持軸４７ｃ、４７ｄと、巻取リール支持軸４７ｅ、４７ｆと、保持突起４７ｇと、が形成されている。底壁４７ａは長手方向Ｘおよび並列方向Ｚに沿って延びる板状に形成されており、側壁４７ｂは底壁４７ａの外周縁から−Ｙ側に向けて延びている。供給リール支持軸４７ｃ、４７ｄおよび巻取リール支持軸４７ｅ、４７ｆは、底壁４７ａおよび側壁４７ｂによって囲まれた空間内に位置している。供給リール支持軸４７ｃ、４７ｄおよび巻取リール支持軸４７ｅ、４７ｆは底壁４７ａから−Ｙ側に向けて延びている。第１供給リール支持軸４７ｃは第１供給リール４６Ａを回動自在に支持し、第２供給リール支持軸４７ｄは第２供給リール４６Ｂを回転自在に支持している。
【００３５】
第１巻取リール支持軸４７ｅは第１巻取リール４３Ａおよび第１ギア４４Ａを回転自在に支持し、第２巻取リール支持軸４７ｆは第２巻取リール４３Ｂおよび第２ギア４４Ｂを回転自在に支持している。押さえ部４８Ａ、４８Ｂは、各軸４７ｃ〜４７ｆに挿入された各リール４３Ａ、４３Ｂ、４６Ａ、４６Ｂの脱落を防止する。
保持突起４７ｇは、−Ｘ側の端部に位置する側壁４７ｂから、−Ｘ側に向けて突出している。保持突起４７ｇは付勢部材４８（図３参照）を保持する。付勢部材４８は、支持体４７を＋Ｘ側に向けて付勢している。
【００３６】
供給リール４６Ａ、４６Ｂは、清掃体６Ａ、６Ｂが巻き付けられた胴部と、胴部の両端に設けられた鍔部と、を有している。供給リール４６Ａ、４６Ｂは、ヘッド部材７０Ａ、７０Ｂに向けて清掃体６Ａ、６Ｂを供給する。巻取リール４３Ａ、４３Ｂは、供給リール４６Ａ、４６Ｂからヘッド部材７０Ａ、７０Ｂを経由して本体部４０に戻ってきた清掃体６Ａ、６Ｂを巻き取る。巻取リール４３Ａ、４３Ｂは、清掃体６Ａ、６Ｂを巻き取る胴部と、胴部の両端に設けられた鍔部と、を有している。
【００３７】
図３に示すように、収容体４１は、筒状のケース部４１ａと、ケース部４１ａ内に位置決めされた押圧体４１ｂと、を有している。ギア受け部４５Ａ、４５Ｂは、押圧体４１ｂに形成されており、ギア４４Ａ、４４Ｂと係合する。ケース部４１ａには、＋Ｙ側に向けて突出する挿入凸部４１ｃ、４１ｄが形成されている。挿入凸部４１ｃ、４１ｄは、回転シャフト４９Ａ、４９Ｂに形成された螺旋状のカム溝部に挿入されている。このため、回転シャフト４９Ａ、４９Ｂが収容体４１に対して長手方向に移動すると、回転シャフト４９Ａ、４９Ｂが回転する。第１ヘッド部材７０Ａは第１回転シャフト４９Ａの先端に、第１回転シャフト４９Ａに対する回転が規制された状態で取り付けられている。第２ヘッド部材７０Ｂは第２回転シャフト４９Ｂの先端に、第２回転シャフト４９Ｂに対する回転が規制された状態で取り付けられている。このため、回転シャフト４９Ａ、４９Ｂが回転すると、ヘッド部材７０Ａ、７０Ｂも回転する。
【００３８】
図３に示すように、収容体４１の内側には、筒体４２が収容されている。筒体４２は、長手方向Ｘに沿って延びる筒状に形成されており、内部に回転シャフト４９Ａ、４９Ｂの一部が挿入されている。筒体４２に形成された開口を通じて、挿入凸部４１ｃ、４１ｄが、回転シャフト４９Ａ、４９Ｂの螺旋状のカム溝部内に挿入されている。
【００３９】
図５Ａ、図５Ｂに示すように、第１連結部材１０および第２連結部材２０は、並列方向Ｚにおいて近接または隔離する方向に相対移動可能となっている。第１連結部材１０は第１ノズル部材６０Ａの先端部６１Ａに取り付けられ、第２連結部材２０は第２ノズル部材６０Ｂの先端部６１Ｂに取り付けられる。第１連結部材１０および第２連結部材２０は、−Ｘ側に向けて開口する箱状に形成されている。第１連結部材１０および第２連結部材２０をノズル部材６０Ａ、６０Ｂに取り付ける際には、各連結部材１０、２０の−Ｘ側の開口部から、ノズル部材６０Ａ、６０Ｂの先端部６１Ａ、６１Ｂを挿入する。
【００４０】
図６Ａに示すように、第１連結部材１０は、上壁部１１と、第１右壁部１２と、第１左壁部１３と、を有している。上壁部１１、第１右壁部１２、および第１左壁部１３は、第１取付部１０ａを構成している。第１取付部１０ａは、第１ノズル部材６０Ａの先端部６１Ａに取り付けられる部分である。上壁部１１は長手方向Ｘおよび直交方向Ｙに沿って延びる板状に形成されている。第１右壁部１２は、上壁部１１の−Ｙ側の端部から、−Ｚ側に向けて延びている。第１左壁部１３は、上壁部１１の＋Ｙ側の端部から、−Ｚ側に向けて延びている。上壁部１１、第１右壁部１２、および第１左壁部１３によって形成される空間の内側に、第１ノズル部材６０Ａの先端部６１Ａが収容されている。上壁部１１は、先端部６１Ａの＋Ｚ側を向く第１外側当接面６７Ａと、並列方向Ｚにおいて対向している。上壁部１１の−Ｚ側を向く面は、ノズル部材６０Ａ、６０Ｂが並列方向Ｚにおいて離隔するとき、第１外側当接面６７Ａに当接する第１外側規制面１１ａ（外側規制面）となっている。
【００４１】
第１右壁部１２の−Ｚ側の端部には、＋Ｙ側に向けて突出する内側規制部１４ａが形成されている。第１左壁部１３の−Ｚ側の端部には、−Ｙ側に向けて突出する内側規制部１４ｂが形成されている。図示は省略するが、内側規制部１４ａおよび内側規制部１４ｂは長手方向Ｘに沿って延びている。内側規制部１４ａと内側規制部１４ｂとの間には、直交方向Ｙの隙間が設けられている。
【００４２】
第１ノズル部材６０Ａの先端部６１Ａには、−Ｚ側に向けて突出する第１突出部６４Ａが形成されている。第１突出部６４Ａは、先端部６１Ａの直交方向Ｙにおける中央部に設けられている。第１突出部６４Ａの＋Ｙ側には、−Ｚ側を向く内側当接面６５Ａが形成されている。第１突出部６４Ａの−Ｙ側には、−Ｚ側を向く内側当接面６６Ａが形成されている。図６Ａに示すように、第１ノズル部材６０Ａと第２ノズル部材６０Ｂとが近接した状態において、第１突出部６４Ａは、内側規制部１４ａと内側規制部１４ｂとの間に位置している。内側当接面６５Ａは内側規制部１４ｂと並列方向Ｚにおいて対向しており、内側当接面６６Ａは内側規制部１４ａと並列方向Ｚにおいて対向している。
【００４３】
第２連結部材２０は、下壁部２１と、第２右壁部２２と、第２左壁部２３と、を有している。下壁部２１、第２右壁部２２、および第２左壁部２３は、第２取付部２０ａを構成している。第２取付部２０ａは、第２ノズル部材６０Ｂの先端部６１Ｂに取り付けられる部分である。下壁部２１は長手方向Ｘおよび直交方向Ｙに沿って延びる板状に形成されている。第２右壁部２２は、下壁部２１の−Ｙ側の端部から、＋Ｚ側に向けて延びている。第２左壁部２３は、下壁部２１の＋Ｙ側の端部から、＋Ｚ側に向けて延びている。下壁部２１、第２右壁部２２、および第２左壁部２３によって形成される空間の内側に、第２ノズル部材６０Ｂの先端部６１Ｂが収容されている。下壁部２１は、先端部６１Ｂの−Ｚ側を向く第２外側当接面６７Ｂと、並列方向Ｚにおいて対向している。下壁部２１の＋Ｚ側を向く面は、ノズル部材６０Ａ、６０Ｂが並列方向Ｚにおいて離隔するとき、第２外側当接面６７Ｂに当接する第２外側規制面２１ａ（外側規制面）となっている。
【００４４】
第２右壁部２２の＋Ｚ側の端部には、＋Ｙ側に向けて突出する内側規制部２４ａが形成されている。第２左壁部２３の＋Ｚ側の端部には、−Ｙ側に向けて突出する内側規制部２４ｂが形成されている。図示は省略するが、内側規制部２４ａおよび内側規制部２４ｂは長手方向Ｘに沿って延びている。内側規制部２４ａと内側規制部２４ｂとの間には、直交方向Ｙの隙間が設けられている。
【００４５】
第２ノズル部材６０Ｂの先端部６１Ｂには、＋Ｚ側に向けて突出する第２突出部６４Ｂが形成されている。第２突出部６４Ｂは、先端部６１Ｂの直交方向Ｙにおける中央部に設けられている。第２突出部６４Ｂの＋Ｙ側には、＋Ｚ側を向く内側当接面６５Ｂが形成されている。第２突出部６４Ｂの−Ｙ側には、＋Ｚ側を向く内側当接面６６Ｂが形成されている。図６Ａに示すように、第１ノズル部材６０Ａと第２ノズル部材６０Ｂとが近接した状態において、第２突出部６４Ｂは、内側規制部２４ａと内側規制部２４ｂとの間に位置している。内側当接面６５Ｂは内側規制部２４ｂと並列方向Ｚにおいて対向しており、内側当接面６６Ｂは内側規制部２４ａと並列方向Ｚにおいて対向している。
【００４６】
図５Ａに示すように、第１連結部材１０の第１右壁部１２には、溝部１２ａが形成されている。溝部１２ａは、長手方向Ｘにおける第１右壁部１２の中間部分に位置している。溝部１２ａは並列方向Ｚに沿って延びており、−Ｚ側に向けて開口している。溝部１２ａは、第１右壁部１２のうち−Ｙ側を向く面から、＋Ｙ側に向けて窪んでいる。図６Ａに示すように、溝部１２ａの＋Ｚ側の端部には、＋Ｙ側に向けてさらに窪んだ凹部１２ｂが形成されている。
【００４７】
図６Ａに示すように、第１連結部材１０の第１左壁部１３にも、溝部１２ａと同様の溝部１３ａが形成されている。図示は省略するが、溝部１３ａは長手方向Ｘにおける第１左壁部１３の中間部分に位置している。溝部１３ａは並列方向Ｚに沿って延びており、−Ｚ側に向けて開口している。溝部１３ａは、第１左壁部１３のうち＋Ｙ側を向く面から、−Ｙ側に向けて窪んでいる。図６Ａに示すように、溝部１３ａのうち＋Ｚ側の端部には、−Ｙ側に向けてさらに窪んだ凹部１３ｂが形成されている。
【００４８】
第２連結部材２０には、係止片２６、２７が形成されている。係止片２６は第２連結部材２０の第２右壁部２２から＋Ｚ側に向けて延びており、係止片２７は第２連結部材２０の第２左壁部２３から＋Ｚ側に向けて延びている。係止片２６は溝部１２ａ内に位置しており、係止片２７は溝部１３ａ内に位置している。係止片２６、２７はそれぞれ、溝部１２ａ、１３ａに対して摺動可能となっている。係止片２６の＋Ｚ側の端部には、＋Ｙ側に向けて突出する係止部２６ａが形成されている。係止片２７の＋Ｚ側の端部には、−Ｙ側に向けて突出する係止部２７ａが形成されている。
【００４９】
溝部１２ａ内には係止部２６ａに係止される係止突部１２ｃが形成されており、溝部１３ａ内には係止部２７ａに係止される係止突部１３ｃが形成されている。係止部２６ａの少なくとも一部は、凹部１２ｂ内に位置しており、係止突部１２ｃと並列方向Ｚにおいて対向している。係止部２７ａの少なくとも一部は、凹部１３ｂ内に位置しており、係止突部１３ｃと並列方向Ｚにおいて対向している。第１連結部材１０に第２連結部材２０を組み付ける場合には、係止片２６、２７を溝部１２ａ、１３ａに対して下方から進入させる。このとき、係止片２６、２７が直交方向Ｙにおいて外側に向けて弾性変形し、係止部２６ａ、２７ａ、が凹部１２ｂ、１３ｂに到達すると復元変形する。
【００５０】
上記構成により、第１連結部材１０と第２連結部材２０とは、ノズル部材６０Ａ、６０Ｂの相対移動に追従して、並列方向Ｚにおいて所定の範囲内で相対移動可能となっている。
例えば図６Ａに示す状態からノズル部材６０Ａ、６０Ｂを並列方向Ｚにおいて隔離させた場合、第１ノズル部材６０Ａの第１外側当接面６７Ａと第１連結部材１０の第１外側規制面１１ａとが当接するとともに、第２ノズル部材６０Ｂの第２外側当接面６７Ｂと第２連結部材２０の第２外側規制面２１ａとが当接する。これにより、ノズル部材６０Ａ、６０Ｂに追従して、第１連結部材１０と第２連結部材２０とが並列方向Ｚにおいて隔離するように移動する。
【００５１】
第１連結部材１０と第２連結部材２０とが並列方向Ｚにおいて離隔するように所定量相対移動すると、図６Ｂに示すように、係止部２６ａ、２７ａが係止突部１２ｃ、１３ｃに対して当接する。したがって、第１連結部材１０と第２連結部材２０との所定量を超えた相対移動が規制される。
図６Ｂに示す状態から、ノズル部材６０Ａ、６０Ｂを並列方向Ｚにおいて近接させた場合、第１ノズル部材６０Ａの内側当接面６６Ａと内側規制部１４ａ、および内側当接面６５Ａと内側規制部１４ｂが当接する。また、第２ノズル部材６０Ｂの内側当接面６６Ｂと内側規制部２４ａ、および内側当接面６５Ｂと内側規制部２４ｂが当接する。これにより、ノズル部材６０Ａ、６０Ｂに追従して、第１連結部材１０と第２連結部材２０とが並列方向Ｚにおいて近接するように移動する。
【００５２】
図５Ａに示すように、第１連結部材１０は、第１前壁部１６と、第１筒状部１９と、を有している。前壁部１６は、上壁部１１、第１右壁部１２、および第１左壁部１３の＋Ｘ側の端部を覆うように形成されている。第２連結部材２０は、第２前壁部２８と、第２筒状部２９と、を有している。前壁部２８は、下壁部２１、第２右壁部２２、および第２左壁部２３の＋Ｘ側の端部を覆うように形成されている。
【００５３】
第１筒状部１９は第１前壁部１６から＋Ｘ側に向けて突出しており、第２筒状部２９は第２前壁部２８から＋Ｘ側に向けて突出している。第１筒状部１９は、第１先端筒部１９ａと、第１圧入部１９ｂと、を有している。第２筒状部２９は、第２先端筒部２９ａと、第２圧入部２９ｂと、を有している。先端筒部１９ａ、２９ａは、円筒状に形成されており、圧入部１９ｂ、２９ｂよりも＋Ｘ側に位置している。
【００５４】
図７Ａに示すように、第１先端筒部１９ａの＋Ｘ側の開口部には、傾斜面１９ｃが形成されている。傾斜面１９ｃは、−Ｘ側に向かうに従い、漸次第１中心軸線Ｃ１に向かって延びている。第１前壁部１６には、第１筒状部１９の内側の空間に連なる第１貫通孔１６ａが形成されている。第１貫通孔１６ａは、第１前壁部１６を長手方向Ｘに貫通している。第１連結部材１０の内部には、先端部６１Ａが当接する当接部が形成されている。その当接部に、第１貫通孔１６ａの−Ｘ側の開口部から−Ｘ側に向けて突出する第１内筒部１５が形成されている。第１内筒部１５の−Ｘ側の端部には、傾斜面１５ａ、１５ｂが形成されている。傾斜面１５ａは、第１内筒部１５の外周面に形成されており、−Ｘ側に向かうに従って漸次第１中心軸線Ｃ１に向かうように傾斜している。傾斜面１５ｂは、第１内筒部１５の内周面に形成されており、＋Ｘ側に向かうに従って漸次第１中心軸線Ｃ１に向かうように傾斜している。
【００５５】
第１ヘッド部材７０Ａが＋Ｘ側に向けて移動したとき、第１ヘッド部材７０Ａは第１内筒部１５の傾斜面１５ｂによってガイドされる。これにより、第１ヘッド部材７０Ａをスムーズに第１内筒部１５内に導入させることができる。また、光コネクタのフェルール８１（図９Ａ、図９Ｂ参照）を第１筒状部１９内に挿入する際、第１先端筒部１９ａの傾斜面１９ｃは、フェルール８１をガイドする。これにより、フェルール８１をスムーズに第１先端筒部１９ａ内に導入することができる。
第１内筒部１５、第１貫通孔１６ａ、および第１筒状部１９の内径は、傾斜面１９ｃ、１５ｂが形成された部分を除き、長手方向Ｘに沿って略一定となっている。
【００５６】
図７Ｂに示すように、第２先端筒部２９ａの＋Ｘ側の開口部には、傾斜面２９ｃが形成されている。傾斜面２９ｃは、−Ｘ側に向かうに従い、漸次第２中心軸線Ｃ２に向かって延びている。第２前壁部２８には、第２筒状部２９の内側の空間に連なる第２貫通孔２８ａが形成されている。第２貫通孔２８ａは、第２前壁部２８を長手方向Ｘに貫通している。第２連結部材２０の内部には、先端部６１Ｂが当接する当接部が形成されている。その当接部に、第２貫通孔２８ａの−Ｘ側の開口部から−Ｘ側に向けて突出する第２内筒部２５が形成されている。第２内筒部２５の−Ｘ側の端部には、傾斜面２５ａ、２５ｂが形成されている。傾斜面２５ａは、第２内筒部２５の外周面に形成されており、−Ｘ側に向かうに従って漸次第２中心軸線Ｃ２に向かうように傾斜している。傾斜面２５ｂは、第２内筒部２５の内周面に形成されており、＋Ｘ側に向かうに従って漸次第２中心軸線Ｃ２に向かうように傾斜している。
【００５７】
第２ヘッド部材７０Ｂが＋Ｘ側に向けて移動したとき、第２ヘッド部材７０Ｂは第２内筒部２５の傾斜面２５ｂによってガイドされる。これにより、第２ヘッド部材７０Ｂをスムーズに第２内筒部２５内に導入させることができる。また、光コネクタのフェルール８１（図９Ａ、図９Ｂ参照）を第２筒状部２９内に挿入する際、第２先端筒部２９ａの傾斜面２９ｃは、フェルールをガイドする。これにより、フェルール８１をスムーズに第２先端筒部２９ａ内に導入することができる。
第２内筒部２５、第２貫通孔２８ａ、および第２筒状部２９の内径は、傾斜面２９ｃ、１５ｂが形成された部分を除き、長手方向Ｘに沿って略一定となっている。
【００５８】
図７Ａに示すように、第１ノズル部材６０Ａの先端部６１Ａには、第１先端ガイド部６８Ａが形成されている。第１先端ガイド部６８Ａは、先端部６１Ａから＋Ｘ側に向けて突出している。第１先端ガイド部６８Ａは、一部が欠けた略すり鉢状に形成されており、その内周面は第１傾斜面６９Ａとなっている。第１傾斜面６９Ａは、−Ｘ側に向かうに従い、漸次第１中心軸線Ｃ１に向かうように傾斜している。アタッチメント３が清掃工具２に取り付けられた状態では、第１内筒部１５の少なくとも一部が、第１先端ガイド部６８Ａの内側に進入する。そして、第１内筒部１５の傾斜面１５ａと第１ノズル部材６０Ａの第１傾斜面６９Ａとを当接させることで、第１内筒部１５と第１ノズル部材６０Ａとの位置を合わせることができる。
【００５９】
図７Ｂに示すように、第２ノズル部材６０Ｂの先端部６１Ｂには、第２先端ガイド部６８Ｂが形成されている。第２先端ガイド部６８Ｂは、先端部６１Ｂから＋Ｘ側に向けて突出している。第２先端ガイド部６８Ｂは、一部が欠けた略すり鉢状に形成されており、その内周面は傾斜面６９Ｂとなっている。傾斜面６９Ｂは、−Ｘ側に向かうに従い、漸次第２中心軸線Ｃ２に向かうように傾斜している。アタッチメント３が清掃工具２に取り付けられた状態では、第２内筒部２５の少なくとも一部が、第２先端ガイド部６８Ｂの内側に進入する。そして、第２内筒部２５の傾斜面２５ａと第２ノズル部材６０Ｂの傾斜面６９Ｂとを当接させることで、第２内筒部２５と第２ノズル部材６０Ｂとの位置を合わせることができる。
【００６０】
キャップ３０は、−Ｘ側に向けて開口する箱状に形成されている。キャップ３０は、筒状部１９、２９を覆うことで、これらの筒状部１９、２９に汚れや埃などが付着することを抑制する役割を有する。キャップ３０は、例えば樹脂により形成されている。
図８に示すように、筒状部１９、２９の圧入部１９ｂ、２９ｂは、直交方向Ｙにおいてキャップ３０の内面に圧入されている。当該圧入は、手指の力でキャップ３０を圧入部１９ｂ、２９ｂに着脱可能な程度の圧入力とされている。
【００６１】
一方、圧入部１９ｂ、２９ｂは、並列方向Ｚにおいてキャップ３０の内面に圧入されていない。これは、第１連結部材１０と第２連結部材２０とが並列方向Ｚにおいて相対移動可能であることを考慮した構成である。仮に並列方向Ｚにおいてキャップ３０を圧入部１９ｂ、２９ｂに圧入させる場合には、第１連結部材１０と第２連結部材２０とが並列方向Ｚにおいて完全に近接した状態に対してキャップ３０を圧入させる必要が生じ、キャップ３０の着脱操作が行いにくくなる。これに代えて、キャップ３０を並列方向Ｚにおいて圧入させる構成とすることで、第１連結部材１０と第２連結部材２０とが完全に近接していなくてもキャップ３０を圧入可能となり、キャップ３０の着脱操作が行いやすくなる。また、第１連結部材１０と第２連結部材２０とが並列方向Ｚにおいて最も離隔した状態でも、キャップ３０を圧入部１９ｂ、２９ｂに圧入可能な構成とすることも可能である。
【００６２】
図９Ａ、図９Ｂは、本実施形態のアタッチメント付き清掃工具１の使用状態の一例を示している。アタッチメント付き清掃工具１は、フェルール８１が剥き出しになった光コネクタ８０Ａ、８０Ｂの接合端面８１ａを清掃することができる。なお、図示は省略するが、各フェルール８１の内部には光ファイバが収容されており、接合端面８１ａにおいて光ファイバの端面が露出している。
【００６３】
図９Ａに示す光コネクタ８０Ａと、図９Ｂに示す光コネクタ８０Ｂとでは、フェルール８１間のピッチが異なっている。光コネクタ８０Ａのフェルール間のピッチＰ１は例えば３．１ｍｍ程度であり、光コネクタ８０Ｂのフェルール間のピッチＰ２は例えば３．８ｍｍ程度である。なお、ピッチＰ１、Ｐ２は光コネクタの規格などに応じて適宜変更可能である。
【００６４】
アタッチメント付き清掃工具１を使用する場合、図９Ａ、図９Ｂのように、光コネクタ８０Ａ、８０Ｂによって異なるピッチＰ１、Ｐ２に合わせて、ノズル部材６０Ａ、６０Ｂを互いに離隔させたり近接させたりして、筒状部１９、２９の位置をフェルール８１の位置に合わせる。そして、筒状部１９、２９内にフェルール８１を挿入し、清掃工具２を光コネクタ８０Ａ、８０Ｂに向けて押し込む。これにより、ノズル部材６０Ａ、６０Ｂ内のヘッド部材７０Ａ、７０Ｂが先端部６１Ａ、６１Ｂから突出し、筒状部１９、２９内に導入される。筒状部１９、２９内では、フェルール８１およびヘッド部材７０Ａ、７０Ｂの各中心軸線の位置が合わされる。これにより、ヘッド部材７０Ａ、７０Ｂが接合端面８１ａに押し付けられるとともに、ヘッド部材７０Ａ、７０Ｂに巻き付けられた清掃体６Ａ、６Ｂと接合端面８１ａとが当接し、清掃体６Ａ、６Ｂで接合端面８１ａを清掃することができる。
【００６５】
なお、送り機構Ｍの作用により、清掃工具２を押し込むことに伴い、ヘッド部材７０Ａ、７０Ｂが回転するとともに、清掃体６Ａ、６Ｂが供給リール４６Ａ、４６Ｂから巻取リール４３Ａ、４３Ｂへと送られる。ヘッド部材７０Ａ、７０Ｂが回転することで、接合端面８１ａがより確実に清掃される。また、清掃体６Ａ、６Ｂのうち汚れが付着した部分は巻取リール４３Ａ、４３Ｂに巻き取られ、汚れが付着していない新たな清掃体６Ａ、６Ｂが供給リール４６Ａ、４６Ｂからヘッド部材７０Ａ、７０Ｂに供給される。これにより、アタッチメント付き清掃工具１を繰り返し使用することができる。
【００６６】
フェルール８１が剥き出しになっておらず、コネクタ収容穴内に位置している状態の光コネクタ（光アダプタ）を清掃する場合には、アタッチメント３を清掃工具２から取り外して、ノズル部材６０Ａ、６０Ｂをコネクタ収容穴内に挿入する。この場合には、コネクタ収容穴によってノズル部材６０Ａ、６０Ｂとフェルールとの位置を合わせることができる。さらに、例えば先端ガイド部６８Ａ、６８Ｂ内にフェルールの端部を進入させることで、より精度よくノズル部材６０Ａ、６０Ｂとフェルールとの位置を決めることも可能である。
【００６７】
以上説明したように、本実施形態のアタッチメント付き清掃工具１は、並列方向Ｚにおいて互いに接近および離隔可能に設けられた複数のノズル部材６０Ａ、６０Ｂを有する清掃工具２と、清掃工具２に着脱可能なアタッチメント３とを備えている。また、アタッチメント３は複数の連結部材１０、２０を有し、複数の連結部材１０、２０はそれぞれ、ノズル部材６０Ａ、６０Ｂの先端部６１Ａ、６１Ｂに取り付けられる取付部１０ａ、２０ａと、取付部１０ａ、２０ａから長手方向Ｘに突出してフェルール８１が挿入される筒状部１９、２９と、を有している。そして、複数の連結部材１０、２０は、ノズル部材６０Ａ、６０Ｂの並列方向Ｚにおける相対移動に追従して移動する。この構成により、フェルール８１が剥き出しになっており、フェルール８１間のピッチが異なる光コネクタ８０Ａ、８０Ｂの接合端面８１ａを、同一のアタッチメント付き清掃工具１で清掃することができる。したがって、フェルール８１間のピッチが異なる光コネクタ８０Ａ、８０Ｂごとにアタッチメント付き清掃工具１を持ち替える手間が省けて、効率よく清掃することができる。
【００６８】
また、複数のノズル部材６０Ａ、６０Ｂの各先端部６１Ａ、６１Ｂには、筒状部１９、２９側（＋Ｘ側）に突出する先端ガイド部６８Ａ、６８Ｂが形成されている。そして取付部１０ａ、２０ａの内面には、先端部６１Ａ、６１Ｂが当接する当接部が形成されており、当接部には、ノズル部材６０Ａ、６０Ｂ側（−Ｘ側）に突出し、先端ガイド部６８Ａ、６８Ｂの内側に進入して先端ガイド部６８Ａ、６８Ｂに接する内筒部１５、２５が形成されている。この構成により、ノズル部材６０Ａ、６０Ｂの先端部６１Ａ、６１Ｂの位置と、筒状部１９、２９の位置とを容易に合わせることができる。したがって、ノズル部材６０Ａ、６０Ｂからヘッド部材７０Ａ、７０Ｂが突出したときに、当該ヘッド部材７０Ａ、７０Ｂをスムーズに筒状部１９、２９内に導入させることができる。
【００６９】
また、先端ガイド部６８Ａ、６８Ｂの内面には、長手方向Ｘにおける収容体４１側（−Ｘ側）に向かうに従ってノズル部材６０Ａ、６０Ｂの各中心軸線Ｃ１、Ｃ２に向かう第１傾斜面６９Ａ、６９Ｂが形成されており、内筒部１５、２５の外周面には、長手方向Ｘにおける収容体４１側に向かうに従って各中心軸線Ｃ１、Ｃ２に向かう第２傾斜面１５ａ、２５ａが形成されている。この構成により、アタッチメント３を清掃工具２に取り付けたときに、よりスムーズに内筒部１５、２５を先端ガイド部６８Ａ、６８Ｂの内側に導入することができる。したがって、より確実にノズル部材６０Ａ、６０Ｂの先端部６１Ａ、６１Ｂの位置と、筒状部１９、２９の位置とを合わせることができる。
【００７０】
また、複数の連結部材１０、２０にはそれぞれ、複数のノズル部材６０Ａ、６０Ｂが並列方向Ｚにおいて離隔するとき、ノズル部材６０Ａ、６０Ｂのうち並列方向Ｚにおける外側を向く外側当接面６７Ａ、６７Ｂに当接する外側規制面１１ａ、２１ａが形成されている。この構成により、ノズル部材６０Ａ、６０Ｂが互いに離隔するように相対移動するときに、より確実に連結部材１０、２０を追従して移動させることができる。
【００７１】
また、複数の連結部材１０、２０にはそれぞれ、複数のノズル部材６０Ａ、６０Ｂが並列方向Ｚにおいて接近するとき、ノズル部材６０Ａ、６０Ｂのうち並列方向Ｚにおける内側を向く内側当接面６５Ａ、６５Ｂ、６６Ａ、６６Ｂに当接する内側規制部１４ａ、１４ｂ、２４ａ、２４ｂが形成されている。この構成により、ノズル部材６０Ａ、６０Ｂが互いに接近するように相対移動するときに、より確実に連結部材１０、２０を追従して移動させることができる。
【００７２】
また、アタッチメント３は、第１連結部材１０および第２連結部材２０に着脱可能に設けられたキャップ３０を有している。そしてキャップ３０は、並列方向Ｚにおいて筒状部１９、２９の圧入部１９ｂ、２９ｂに圧入されず、並列方向Ｚおよび長手方向Ｘに直交する直交方向Ｙにおいて圧入部１９ｂ、２９ｂに圧入されている。この構成により、第１連結部材１０と第２連結部材２０とが完全に近接した状態でなくても、キャップ３０を圧入部１９ｂ、２９ｂに圧入することが可能な構成とすることができ、キャップ３０の着脱操作がより容易となっている。
【００７３】
また、第１連結部材１０には、並列方向Ｚに突出するとともに直交方向Ｙに間隔を空けて配置された一対の係止片２６、２７と、一対の係止片２６、２７からそれぞれ直交方向Ｙにおける内側に向けて突出した係止部２６ａ、２７ａと、が形成されている。そして、第２連結部材２０には、一対の係止片２６、２７がそれぞれ摺動する一対の溝部１２ａ、１３ａと、一対の係止部２６ａ、２７ａにそれぞれ係止される一対の係止突部１２ｃ、１３ｃと、が形成されている。この構成により、第１連結部材１０と第２連結部材２０とが相対移動可能とし、かつ第１連結部材１０と第２連結部材２０とが不意に脱落することを抑止できる。また、係止片２６、２７を弾性変形させることで、第１連結部材１０に第２連結部材２０を容易に組み付けることができる。
【００７４】
なお、本発明の技術的範囲は前記実施形態に限定されず、本発明の趣旨を逸脱しない範囲において種々の変更を加えることが可能である。
【００７５】
例えば、前記実施形態ではノズル部材６０Ａ、６０Ｂの数は２つであるが、ノズル部材の数は３以上であってもよい。同様に、本実施形態ではアタッチメント３が備える連結部材１０、２０の数は２つであるが、連結部材の数は３以上であってもよい。これらの場合も、ノズル部材が並列方向Ｚにおいて互いに接近および離隔可能に設けられ、各ノズル部材に取り付けられた複数の連結部材が、ノズル部材の並列方向Ｚにおける相対移動に追従して移動するように構成することで、前記実施形態と同様の作用効果が得られる。
【００７６】
連結部材の数が３以上の場合、例えば第１連結部材１０の＋Ｚ側に、第３連結部材を設けても良い。そして第３連結部材に、−Ｚ側に向けて延びる一対の係止片を設けて、当該一対の係止片に形成された係止部に係止される一対の係止突部と、当該一対の係止片が摺動する一対の溝部とを、第１連結部材１０の溝部１２ａ、１３ａとは長手方向Ｘにおいてずれた位置に設けてもよい。このような構成により、３以上の連結部材を並列方向Ｚに相対移動可能としつつ、これらの連結部材が脱落することを抑制できる。
【００７７】
また、前記実施形態では収容体４１の移動により送り機構Ｍを作動させて清掃体６Ａ、６Ｂを送り移動する構造を採用しているが、清掃体６Ａ、６Ｂを送り移動する構造はこれに限定されない。例えば、作業者が手動で巻取リールを作動させる構成や、巻取リールを作動させるモータを内蔵した構成などを採用可能である。
【００７８】
その他、本発明の趣旨を逸脱しない範囲で、上記した実施形態における構成要素を周知の構成要素に置き換えることは適宜可能であり、また、上記した実施形態や変形例を適宜組み合わせてもよい。
【符号の説明】
【００７９】
１…アタッチメント付き清掃工具  ２…清掃工具  ３…アタッチメント  ６Ａ、６Ｂ…清掃体  １０…第１連結部材  １０ａ、２０ａ…取付部  １１ａ、２１ａ…外側規制面  １２ａ、１３ａ…溝部  １２ｃ、１３ｃ…係止突部  １４ａ、１４ｂ、２４ａ、２４ｂ…内側規制部  １５、２５…内筒部  １５ａ、２５ａ…第２傾斜面  １９、２９…筒状部  ２０…第２連結部材  ２６、２７…係止片  ２６ａ、２７ａ…係止部  ３０…キャップ  ４１…収容体  ６０Ａ、６０Ｂ…ノズル部材  ６１Ａ、６１Ｂ…先端部  ６５Ａ、６５Ｂ、６６Ａ、６６Ｂ…内側当接面  ６７Ａ、６７Ｂ…外側当接面  ６８Ａ、６８Ｂ…先端ガイド部  ６９Ａ、６９Ｂ…第１傾斜面  ７０Ａ、７０Ｂ…ヘッド部材  ８０Ａ、８０Ｂ…光コネクタ  ８１…フェルール  ８１ａ…接合端面  Ｃ１、Ｃ２…中心軸線  Ｍ…送り機構  Ｘ…長手方向  Ｙ…直交方向  Ｚ…並列方向
【図１】
2020201455.tif 000003
【図２Ａ】
2020201455.tif 000004
【図２Ｂ】
2020201455.tif 000005
【図３】
2020201455.tif 000006
【図４】
2020201455.tif 000007
【図５Ａ】
2020201455.tif 000008
【図５Ｂ】
2020201455.tif 000009
【図６Ａ】
2020201455.tif 000010
【図６Ｂ】
2020201455.tif 000011
【図７Ａ】
2020201455.tif 000012
【図７Ｂ】
2020201455.tif 000013
【図８】
2020201455.tif 000014
【図９Ａ】
2020201455.tif 000015
【図９Ｂ】
2020201455.tif 000016
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
清掃工具と、
前記清掃工具に着脱可能なアタッチメントと、を備え、
前記清掃工具は、
光コネクタのフェルールの接合端面を清掃する複数の清掃体と、
前記複数の清掃体をそれぞれ前記接合端面に押し当てる複数のヘッド部材と、
前記複数のヘッド部材をそれぞれ収容する複数のノズル部材と、
前記複数のヘッド部材に向けた前記複数の清掃体の供給および引き取りを行う送り機構と、
前記送り機構を収容する収容体と、を有し、
前記複数のノズル部材が並べられた並列方向において、前記複数のノズル部材は互いに接近および離隔可能に設けられ、
前記アタッチメントは、複数の連結部材を有し、
前記複数の連結部材はそれぞれ、前記ノズル部材の先端部に取り付けられる取付部と、前記取付部から前記複数のノズル部材の長手方向に突出して前記フェルールが挿入される筒状部と、を有し、
前記複数の連結部材は、前記複数のノズル部材の前記並列方向における相対移動に追従して移動し、
前記複数の連結部材は、第１連結部材と第２連結部材とを含み、
前記第２連結部材には、前記並列方向に突出するとともに、前記並列方向および前記長手方向に直交する直交方向に間隔を空けて配置された一対の係止片と、前記一対の係止片からそれぞれ前記直交方向における内側に向けて突出した係止部と、が形成され、
前記第１連結部材には、前記一対の係止片がそれぞれ摺動する一対の溝部と、前記一対の係止部にそれぞれ係止される一対の係止突部と、が形成されている、アタッチメント付き清掃工具。
【請求項２】
前記複数のノズル部材の各先端部には、前記筒状部側に突出する先端ガイド部が形成され、
前記取付部の内面には、前記先端部が当接する当接部が形成され、
前記当接部には、前記ノズル部材側に突出し、前記先端ガイド部の内側に進入して前記先端ガイド部に接する内筒部が形成されている、
請求項１に記載のアタッチメント付き清掃工具。
【請求項３】
前記先端ガイド部の内面には、前記長手方向における前記収容体側に向かうに従って前記ノズル部材の中心軸線に向かう第１傾斜面が形成され、
前記内筒部の外周面には、前記長手方向における前記収容体側に向かうに従って前記中心軸線に向かう第２傾斜面が形成されている、請求項２に記載のアタッチメント付き清掃工具。
【請求項４】
前記複数の連結部材にはそれぞれ、前記複数のノズル部材が前記並列方向に離隔するとき、前記複数のノズル部材のうち前記並列方向における外側を向く外側当接面に当接する外側規制面が形成されている、請求項１から３のいずれか１項に記載のアタッチメント付き清掃工具。
【請求項５】
前記複数の連結部材にはそれぞれ、前記複数のノズル部材が前記並列方向に接近するとき、前記複数のノズル部材のうち前記並列方向における内側を向く内側当接面に当接する内側規制部が形成されている、請求項１から４のいずれか１項に記載のアタッチメント付き清掃工具。
【請求項６】
前記アタッチメントは、前記複数の連結部材に着脱可能に設けられたキャップを有し、
前記キャップは、前記並列方向において前記筒状部に圧入されず、前記並列方向および前記長手方向に直交する直交方向において前記筒状部に圧入される、請求項１から５のいずれか１項に記載のアタッチメント付き清掃工具。
【請求項７】
清掃体によって光コネクタの接合端面を清掃する清掃工具に着脱可能なアタッチメントであって、
互いに近接および離隔可能に設けられた複数の連結部材を備え、
前記複数の連結部材はそれぞれ、前記清掃工具のノズル部材の先端部に取り付けられる取付部と、前記取付部から突出してフェルールが挿入される筒状部と、を有し、
前記複数の連結部材は、第１連結部材と第２連結部材とを含み、
前記複数の連結部材が並べられた方向を並列方向とし、前記筒状部が突出する方向を長手方向とするとき、
前記第２連結部材には、前記並列方向に突出するとともに、前記並列方向および前記長手方向に直交する直交方向に間隔を空けて配置された一対の係止片と、前記一対の係止片からそれぞれ前記直交方向における内側に向けて突出した係止部と、が形成され、
前記第１連結部材には、前記一対の係止片がそれぞれ摺動する一対の溝部と、前記一対の係止部にそれぞれ係止される一対の係止突部と、が形成されている、アタッチメント。
【手続補正３】
【補正対象書類名】明細書
【補正対象項目名】０００１
【補正方法】変更
【補正の内容】
【０００１】
本発明は、アタッチメント付き清掃工具およびアタッチメントに関する。